(57)【要約】【課題】  機密情報等を不正に出力した場合に展開画像を含めたジョブ履歴情報として格納し管理するアーカイブ管理システムにおいて、当該展開画像の格納領域が不足すること及び処理時間がかかりすぎるという問題があった。【解決手段】  ＰＤＬデータとして一旦記憶装置に格納し、画像処理装置の休止時にホスト地紋等の不要なデータを処理せずに展開画像をジョブアーカイブ情報として格納し管理サーバで管理する。【選択図】  図４
2013215956.tif 000002
【特許請求の範囲】
【請求項１】
ホストコンピュータから印刷データを受信して画像形成を行う画像処理装置で以下の手段を備える。
印刷データを処理して展開画像として出力する手段（Ｓ４０１）、
受信したＰＤＬデータを格納する手段（Ｓ４０２）、
一定期間出力処理を行わなかった時に休止期間に入ったと判断する手段（Ｓ４０３）、
前記格納したＰＤＬデータを画像処理装置の休止期間に画像展開しジョブアーカイブ情報として保持する手段（Ｓ４０７）、
保持したジョブアーカイブ情報をアーカイブ管理サーバの要求に応じて管理用データベースに格納する手段を有することを特徴とする画像処理装置。
【請求項２】
前記ＰＤＬデータ中にアーカイブ管理情報として不用なデータが含まれているか判断する手段（Ｓ４０４）、
不要なデータ含まれていると判断された場合に該当部分の処理を外して画像展開を行う手段（Ｓ４０５）、
該当部分を外して展開した画像をジョブアーカイブ情報として保持する手段（Ｓ４０７）、
を備えることを特徴とする請求項１に記載の画像処理装置。
【請求項３】
前記ＰＤＬデータ中にアーカイブ情報として不用と判断されるデータがホストコンピュータで生成された地紋データ（Ｓ４０４）であることを特徴とする請求項２に記載の画像処理装置。
【発明の詳細な説明】
【技術分野】
【０００１】
本発明は、画像処理装置において生成された画像データを管理する画像処理装置および画像処理方法並びにプログラムに関する。
【背景技術】
【０００２】
近年、各種画像処理装置の普及に伴って、ホストコンピュータから誰でも容易に文書や画像のデータを送信して出力する事が可能になっている。しかし、これはユーザにとって利便性が向上するといった反面で、機密情報等の電子データが紙出力といった形で流出してしまうといった情報漏洩のおそれも増大したといった点では非常に問題になっている。このような問題への対策として、画像処理装置において処理して生成した画像データを全て記憶装置に蓄積して保存するような画像処理装置が存在する。このような装置を用いることにより、管理者は機密情報が漏洩した場合に、その情報がその画像処理装置で出力されたものであるか確認することができ、漏洩した機密情報が、いつ、どこで、どのような処理で出力されたか追跡する事が可能である。
【０００３】
上述したような機密情報漏洩を防ぐためのシステムとして、例えば、クライアントがプリンタサーバに印刷データを送信すると同時に印刷情報とユーザ情報を元に印刷ログを生成し、画像処理装置で処理された展開画像とともに記録装置に蓄積し、一定期間以上全てのデータを保持する必要があった。また、保持した画像データとその処理内容が記録装置に格納しきれない可能性がある場合に、当該ジョブの実行前に警告を発したり、停止したりするシステムが開示されている (例えば、特許文型1参照)。
【先行技術文献】
【特許文献】
【０００４】
【特許文献１】特開2006-293833号公報
【発明の概要】
【発明が解決しようとする課題】
【０００５】
しかしながら、上述したような従来の画像処理装置では、充分な記録装置の領域がなければ容量が不足する状態になり警告や印刷停止が常に発生してしまうという問題がある。
【０００６】
また、特にHDD等の大容量の記録装置を搭載しないＳＦＰ等の印刷装置で上述したような従来のシステムを適用した場合は、一定期間使用できない状態や常にネットワーク上に展開した画像の授受が必要になってしまい印刷装置自体の出力処理が滞ってしまうという問題がある。
【０００７】
また、ＰＤＬデータとして送信されるデータ中にはホストで地紋やすかしの画像を添付した場合があり機密情報漏洩の画像としては不要なデータ部分まで展開して記憶装置に保持し容量を圧迫してしまう問題がある。
【課題を解決するための手段】
【０００８】
上述課題を解決するために、本発明に係る画像処理装置は、
画像データを生成する生成手段と、
画像データをＰＤＬデータのまま所定の記録装置に保持する手段と、
前記保持したＰＤＬデータを当該印刷装置の休止状態時に展開する手段と、
前記保持したＰＤＬデータで管理する展開画像に必要ないデータは展開しない手段と
を備えることを特徴とする。
【発明の効果】
【０００９】
本発明によれば、ジョブが実行された際にＰＤＬデータのまま記憶装置に格納し、印刷装置の休止状態時に展開処理することを行い、印刷装置の出力を滞らせない事ができる。
【００１０】
また、当該印刷データであるＰＤＬデータ内に展開画像として管理する必要のない地紋やすかしのデータが含まれていた場合、当該処理を行わずに展開画像を生成する事により、記憶装置に保持する容量を少なくすることができる。
【図面の簡単な説明】
【００１１】
【図１】画像処理システムのネットワーク構成を示す図である。
【図２】ホストコンピュータとプリンタの構成を示すブロック図である。
【図３】ジョブアーカイブサーバとプリンタの構成を示すブロック図である。
【図４】課題解決のためのフローチャートである。
【発明を実施するための形態】
【００１２】
以下、本発明を実施するための最良の形態について図面を用いて説明する。
【００１３】
＜実施例１＞
図１は、本発明の実施例１における基本的な画像処理システムの構成図である。
【００１４】
図１に示す画像処理システムにおいて、ホストコンピュータ１００１は、ホスト上にある文書データや画像データをプリンタドライバを使用してプリンタ１００２で画像展開するために解釈可能なＰＤＬデータに変換し、ネットワークを介してデータをプリンタ１００２に送信する。プリンタ１００２で受信されたＰＤＬデータはデータ解析を行い、展開画像を生成し印刷制御を行って、展開画像を用紙に載せた出力を行う。また、プリンタ１００２は出力用の展開画像とは別にＰＤＬデータをそのまま格納するＨＤＤやＵＳＢメモリ等の記憶用のメモリを有する。プリンタ１００２は印刷制御処理が一定時間行われない場合、該当状態を検知する機能を有し、その検知が行われた場合は前記格納したＰＤＬデータの解析処理を行い画像を展開する。展開された画像はＨＤＤやＵＳＢメモリ等の記憶装置にジョブアーカイブ情報として格納される。また、ネットワークを介してジョブアーカイブサーバ１００３からの要求に応じて格納されたジョブアーカイブ情報は取り出され、前記ジョブアーカイブサーバ１００３に送信される。ジョブアーカイブサーバ１００３は受信したジョブアーカイブ情報をＨＤＤ等のメモリ領域に格納し各ジョブ情報及び展開画像を蓄積する。また、格納が済むとプリンタ１００２に対して完了通知を行う。完了通知を受けたプリンタ１００２はＨＤＤやＵＳＢメモリ等に格納していたＰＤＬデータおよび展開画像データを削除する。
【００１５】
機密情報漏洩が発生した場合、ジョブアーカイブサーバ１００３に蓄積されたジョブアーカイブ情報の各ジョブ情報および展開画像を検出し、該当ジョブがいつ、どのホストコンピュータから、どのような経緯で出力されたか検出する。
【００１６】
尚、図１に示す通り、ネットワーク１００４にはホストコンピュータ１００１、プリンタ１００２、ジョブアーカイブサーバ１００３が接続され各種データの送受信が可能な形態で接続されている。
【００１７】
図２は前述したホストコンピュータ１００１とプリンタ１００２の細部構成を示すブロック図である。
【００１８】
図２に示すように、ホストコンピュータ１００１はプリンタ１００２の入力部１２を介してＰＤＬデータの送信が行われる。プリンタ１００２はプログラムＲＯＭ１６にあるPDLデータ解析プログラムでCPU１１を使用してPDLデータを解析し、フォントROM１６やデータROM１７にあるフォントやパターン情報などを使用して展開画像を生成する。生成された展開画像は印刷部Ｉ/F１４を介して、印刷部１９に送信され用紙に印刷されて出力される。また、各種印刷設定は操作部２０により変更が可能でプリンタ１００２の画像処理設定を予め変更しておく事が可能である。
【００１９】
また、プリンタ１００２には外部メモリＩ／Ｆ１８を介してＨＤＤやＵＳＢメモリ等の外部メモリ２１に接続されており、受信したＰＤＬデータや別途展開した画像データを格納する事が可能な構成である。
【００２０】
図３は前述したジョブアーカイブサーバ１００３とプリンタ１００２の細部構成を示すブロック図である。
【００２１】
図３に示すように、ジョブアーカイブサーバ１００３はプリンタ１００２の入力部Ｉ／Ｆ１２を介して、前述した外部メモリ２１に格納された展開画像を要求する。要求されたプリンタ１００２は展開画像をジョブアーカイブサーバにネットワークを介して送信することが可能な構成である。
【００２２】
図４は、本発明の実施例１におけるプリンタ１００２における印刷処理および展開画像を格納する処理手順を説明するためのフローチャートである。
【００２３】
まずプリンタ１００２はＰＤＬデータを受信すると、前述したＰＤＬ解析プログラムを用いて画像展開処理を行い印刷データの出力処理を行う（ステップＳ４０１）。
【００２４】
当該データにはジョブアーカイブ情報としてホストコンピュータの名称、送信時刻、プリンタドライバ設定情報等が送信される。受信したＰＤＬデータは前述した印刷処理で解析するともにＰＤＬデータのままでＨＤＤ等の外部メモリに格納する（ステップＳ４０２）。
【００２５】
プリンタ１００２の印刷処理が一定期間行われていないか検出する（ステップＳ４０３）。
【００２６】
一定期間印刷処理が行われなかった場合はジョブアーカイブ情報の格納処理を行う。前述したステップＳ４０２においてＨＤＤ等の外部メモリに格納されたＰＤＬデータを読み出して画像展開処理を行う。読み出したＰＤＬデータにホストで展開された地紋指定のデータが含まれているか検出する（ステップＳ４０４）。
【００２７】
ホストコンピュータによる地紋処理データが含まれていた場合、ジョブアーカイブ情報を生成するための展開処理において、該当ＰＤＬデータの処理を行わないように処理を外す（ステップＳ４０５）。
【００２８】
ホストコンピュータによる地紋処理等を除いたＰＤＬデータ部分の展開処理を行う（ステップＳ４０６）。
【００２９】
前述したPDLデータ中に含まれるホストコンピュータの名称や送信時刻、プリンタドライバ設定情報と共に展開画像を含めてジョブアーカイブ情報としてHDD等の記憶装置に格納する（ステップS４０７）。
【００３０】
格納したジョブアーカイブ情報は、別途定期的にジョブアーカイブ管理サーバ１００３から通知されるジョブアーカイブ情報取得要求に従って、管理情報を送信する。ジョブアーカイブ管理サーバの格納領域に正常に蓄積された事が確認されると、再度ジョブアーカイブ管理サーバ１００３から正常通知を受ける。プリンタ１００２は正常通知を受信すると当該プリンタのHDD等の記憶装置に蓄積しておいたジョブアーカイブ情報を削除し、蓄積領域を解放する。
【符号の説明】
【００３１】
１００１        ホストコンピュータ
１００２        プリンタ
１００３        ジョブアーカイブサーバ
１００４        ネットワーク
１１            ＣＰＵ
１２            入力部
１６            プログラムＲＯＭ
１８            外部メモリＩ／Ｆ
１９            印刷部
２１            外部メモリ
【図１】
2013215956.tif 000003
【図２】
2013215956.tif 000004
【図３】
2013215956.tif 000005
【図４】
2013215956.tif 000006